(57)【特許請求の範囲】
【請求項１】
交換機側から光ファイバを介して加入者端末収容装置に接続され、該加入者端末収容装置から銅線を介して複数の加入者端末に接続されるシステムにおいて、
前記加入者端末収容装置は、
論理的に２回線に多重化される物理的に一本の光ファイバを介して交換機側から伝送される多重信号を音声帯域信号とデータ帯域信号に分離すると共に、交換機側への音声帯域信号とデータ帯域信号とを多重化して光ファイバに送出する光スプリッタと、この光スプリッタで分離されたデータ帯域信号をｘＤＳＬ方式に変換するｘＤＳＬ変換手段と、このｘＤＳＬ方式に変換されたデータ帯域信号と音声帯域信号を各加入者端末毎に多重化し、この多重化された多重信号を銅線を介して各加入者端末に伝送すべく送出する複数のスプリッタと
を有することを特徴とするｘＤＳＬ適用光アクセスシステム。
【請求項２】
通信事業者装置に設けられた交換機から光ファイバを介して加入者端末収容装置に接続され、該加入者端末収容装置から銅線を介して複数の加入者端末に接続されるシステムにおいて、
前記通信事業者装置は、
前記交換機からの音声帯域信号を集線するとともに、交換機への信号を分配する集線分配装置と、該集線分配装置で集線された交換機からの音声帯域信号と該交換機以外のインターネットサービスプロバイダを含む外部データ装置からのデータ帯域信号とを論理的に多重化して物理的に一本の前記光ファイバに送出する光スプリッタとを有し、  前記加入者端末収容装置は、
前記光ファイバからの多重信号を音声帯域信号とデータ帯域信号に分離するとともに、光ファイバへの音声帯域信号とデータ帯域信号を多重化して前記光ファイバに送出する光スプリッタと、各加入者端末に対応して設けられ、加入者端末からの多重信号を音声帯域信号とデータ帯域信号とに分離するとともに、加入者端末への音声帯域信号とデータ帯域信号を多重化して、前記銅線に送出する複数のスプリッタと、前記光スプリッタで分離された音声帯域信号を前記複数のスプリッタに分配するとともに、前記複数のスプリッタからの音声帯域信号を多重化して前記光スプリッタに送出する集線分配装置と、前記光スプリッタからのデータ帯域信号を複数の加入者端末用に分離し、ｘＤＳＬ方式に変換して前記複数のスプリッタに供給するとともに、前記複数のスプリッタからの複数のデータ帯域信号を多重化し、前記光スプリッタに供給するｘＤＳＬ集合モデムとを有し、
前記加入者端末は、
前記銅線に接続され、前記加入者端末収容装置のスプリッタからの多重信号を受信し、音声帯域信号とデータ帯域信号に分離し、音声帯域信号を電話端末に供給するとともに、電話端末からの音声帯域信号とデータ端末からのｘＤＳＬ方式に変換されたデータ帯域信号を多重化し、この多重化された多重信号を前記銅線に送出するスプリッタと、該スプリッタに接続され、該スプリッタからのデータ帯域信号をデータ端末に出力するとともに、データ端末からのデータ帯域信号をｘＤＳＬ方式に変換して前記スプリッタに供給するｘＤＳＬ終端装置と
を有することを特徴とするｘＤＳＬ適用光アクセスシステム。
【発明の詳細な説明】
【０００１】
【発明の属する技術分野】
本発明は、伝送路に光ファイバを使用した光回線が介在するシステムに対してｘＤＳＬ方式を適用し得るようにしたｘＤＳＬ適用光アクセスシステムに関し、更に詳しくは、交換機から光ファイバを介して加入者端末収容装置に接続され、該加入者端末収容装置から銅線を介して複数の加入者端末に接続されるシステムにｘＤＳＬ方式を適用して、高速なｘＤＳＬ方式のデータ通信サービスを提供し得るｘＤＳＬ適用光アクセスシステムに関する。
【０００２】
【従来の技術】
ｘＤＳＬ方式は、電話加入者用の銅線ケーブルを使用して高速ディジタル伝送を行なうのに有効な方式であるが、従来は図４および図５に示すように、電話交換機から加入者端末までの伝送路が銅線で構成されているシステムのみに適用し得るようになっている。
【０００３】
まず、このような従来のｘＤＳＬ方式を適用したシステムについて図４〜図６を参照して説明する。
【０００４】
図４は、ｘＤＳＬ適用システムの基本的構成を示す図である。同図に示すｘＤＳＬ適用システムは、銅線からなる電話線１０３によって接続された加入者端末１０１および電話交換機１１７などの設けられた通信事業者装置１０５のそれぞれにｘＤＳＬ関連装置を設け、これにより両装置間で高速伝送を可能としたシステムを構成しているものである。
【０００５】
更に詳しくは、加入者端末１０１は、電話端末１０７およびＬＡＮに接続されたデータ端末１０９を有し、電話端末１０７は直接ｘＤＳＬ宅内装置１１１に接続され、データ端末１０９はスイッチ１１３を介してｘＤＳＬ宅内装置１１１に接続され、該ｘＤＳＬ宅内装置１１１が銅線からなる電話線１０３に接続されている。
【０００６】
また、通信事業者装置１０５は、銅線の電話線１０３に接続されたｘＤＳＬ局舎装置１１５と該ｘＤＳＬ局舎装置１１５に接続された電話交換機１１７を有し、またｘＤＳＬ局舎装置１１５はインターネットサービスプロバイダ（ＩＳＰ）１１９に接続されている。
【０００７】
図５は、図４に示したｘＤＳＬ適用システムと同様のｘＤＳＬ適用システムの構成を更に詳細に示した図である。図５において、加入者端末２０１は銅線からなる電話線２０３を介して交換装置２０５に接続され、加入者端末２０１には電話線２０３に接続されたスプリッタ２１１およびｘＤＳＬモデム２１５からなるｘＤＳＬ関連装置が設けられ、また交換装置２０５には電話線２０３の各々に接続された複数のスプリッタ２１７およびｘＤＳＬ集合モデム２２１がｘＤＳＬ関連装置として設けられている。なお、加入者端末２０１と交換装置２０５との間の距離Ｌは、概ね１０ｋｍ以下である。
【０００８】
そして、加入者端末２０１においては、スプリッタ２１１は加入者端末２０１に直接接続されるとともに、ｘＤＳＬ終端装置２１５およびスイッチ２１３を介してデータ端末２０９に接続されている。また、交換装置２０５においては、複数のスプリッタ２１７は電話交換機２１９に接続されるとともに、ｘＤＳＬ集合モデム２２１を介してインターネットサービスプロバイダ２２３に接続されている。
【０００９】
図６は、代表的なｘＤＳＬ方式の１つであるＡＤＳＬ方式における搬送波周波数を示す図である。このＡＤＳＬ方式を含むｘＤＳＬ方式では、高速なディジタルデータ伝送を可能とするために、従来では銅線に適用されなかった４ｋＨｚ以上の高周波領域を使用しているものである。具体的には、ＡＤＳＬ（フルレートＧ．ｄｍｔ方式）方式では、図６に示すように、２６ｋＨｚ〜１．１ＭＨｚ帯に４ｋＨｚ幅のチャネルを２５６個確保することにより、最大８Ｍｂｐｓの伝送速度を実現している。このようにして、既存の銅線のみに適用される技術により既設の銅線の有効活用を実現している。
【００１０】
上述したように、ｘＤＳＬ方式は、従来加入者端末と通信事業者装置や交換装置との間が銅線で接続されているシステムのみに適用されているが、加入者端末と通信事業者装置や交換装置との間のアクセス網内に光ファイバからなる光伝送路が介在する場合にはｘＤＳＬ関連装置を従来は設置できず、このようなシステムにおける銅線区間の高速化を行なうことができなかった。
【００１１】
図７は、加入者端末と通信事業者装置との間の接続に光ファイバからなる光ケーブルを用いた場合の光伝送システムの構成を示す図である。このシステムでは、通信事業者装置３０９は光ケーブル３０７を介して光局外装置３０５に接続され、該光局外装置３０５から銅線３０３、３３３を介してそれぞれ各加入者端末３０１、３３１に接続されている。
【００１２】
通信事業者装置３０９は、光ケーブル３０７に接続された光局内装置３１１、この光局内装置３１１に接続された電話交換機３１３およびＩＳＤＮ交換機３１５から構成されている。
【００１３】
また、加入者端末３０１は、銅線３０３に接続されたディジタルサービスユニット（ＤＳＵ）３２１、このディジタルサービスユニット３２１に接続された電話端末３１７、ターミナルアダプタ（ＴＡ）３２３、このターミナルアダプタにＬＡＮを介して接続されたデータ端末３１９から構成されている。
【００１４】
さらに、加入者端末３３１は、銅線３３３に接続された電話端末３３５、モデム３３９、このモデム３３９にＬＡＮを介して接続されたデータ端末３３７から構成されている。
【００１５】
上述した図７に示したような光伝送システムの従来例として、図８〜図１０にそれぞれ示すようなＣＲ／ＲＴ方式、πシステム、ＳＢＭ／ＡＳＭ方式のものがあるが、これらついて簡単に説明する。
【００１６】
図８に示すＣＲ／ＲＴ方式の光伝送システムは、通信事業者装置４１５に設けられたセントラルターミナル（ＣＴ）４１７から多重化装置を構成しているリモートターミナル（ＲＴ）４０９に接続された光ファイバ４１１，４１３からなる光伝送路をリモートターミナル４０９から銅線４０５，４０７を介して接続されている複数の加入者端末４０１，４０３で共用し得るように構成して経済化を図ったものである。なお、セントラルターミナル４１７は、光ファイバ４１１，４１３と電話交換機４１９、ＩＳＤＮ交換機４２１との間における光信号から電気信号、電気信号から光信号、光信号から光信号などの信号の変換を行ない、またリモートターミナル４０９は光ファイバ４１１，４１３と銅線４０５，４０７との間における光信号から電気信号、電気信号から光信号などの信号の変換を行なう。また、光伝送路を構成する光ファイバ４１１，４１３はそれぞれ上りおよび下り用のものである。
【００１７】
なお、図８に示すＣＲ／ＲＴ方式の光伝送システムの通信事業者装置４１５において、セントラルターミナル４１７には電話交換機４１９およびＩＳＤＮ交換機４２１が接続されている。また、加入者端末４０１は銅線４０５を介してリモートターミナル４０９に接続されたモデム４２７、該モデム４２７に直接接続された電話端末４２３およびモデム４２７にＬＡＮを介して接続されたデータ端末４２５を有し、加入者端末４０３は銅線４０７を介してリモートターミナル４０９に接続されたディジタルサービスユニット４３１、このディジタルサービスユニット４３１に接続されたターミナルアダプタ４２９、このターミナルアダプタに直接接続された電話端末４２３、およびターミナルアダプタにＬＡＮを介して接続されたデータ端末４２５を有する。
【００１８】
このように構成されるＣＲ／ＲＴ方式の光伝送システムでは、加入者端末からはアナログ電話サービス、ＩＮＳ６４サービス、低速専用線サービスを利用することができる。
【００１９】
図９に示すπ方式の光伝送システムは、通信事業者装置５０５に設けられた加入者線端局装置（ＳＬＴ）５０９および光配線モジュール（ＦＴＭ）５０７から光回線終端装置（ＯＮＵ）５０１までを光ファイバ５０３で接続し、光回線終端装置５０１から各加入者端末４０１，４０３までの数メートルの間を銅線４０５，４０７で接続したものである。なお、通信事業者装置５０５には加入者線端局装置５０９に接続された電話交換機５１１およびＩＳＤＮ交換機５１３が設けられている。また、各加入者端末４０１，４０３の構成は図８と同じである。
【００２０】
このように構成される光伝送システムでは、光回線終端装置５０１から各加入者端末までは数メートル程度であるので、図８に示したＣＲ／ＲＴ方式に比較して、容易にＦＴＴＨ（ファイバ・ツゥ・ザ・ホーム）を実現することができる。
【００２１】
このように構成されるπ方式の光伝送システムでも、加入者端末からはアナログ電話サービス、ＩＮＳ６４サービス、低速専用線サービスを利用することができる。
【００２２】
図１０に示すＳＢＭ／ＡＳＭ方式の光伝送システムは、通信事業者装置６０７に設けられた交換機（ＡＳＭ）６０９から加入者収容モジュール（ＳＢＭ）６０１までの光ファイバ６０３，６０５からなる光伝送路を該加入者収容モジュール６０１から銅線４０５，４０７を介して接続されている複数の加入者端末４０１，４０３で共用し得るように構成して経済化を図ったものである。
【００２３】
図１０に示すＳＢＭ／ＡＳＭ方式の光伝送システムの構成において、加入者収容モジュール６０１は交換機６０９と同一ビルに収容されたり、または別のビルに収容されたり、またはリモートＳＢＭ（ＲＳＢＭ）として遠隔設置される場合などがある。また、光伝送路を構成する光ファイバ４１１，４１３はそれぞれ上りおよび下り用のものである。
【００２４】
このように構成されるＳＢＭ／ＡＳＭ方式の光伝送システムでも、加入者端末からはアナログ電話サービス、ＩＮＳ６４サービス、低速専用線サービスを利用することができる。
【００２５】
【発明が解決しようとする課題】
上述したように、伝送路が光ファイバを用いた光伝送路である種々の光伝送システムにおいては、従来、ｘＤＳＬ関連装置を設けることができず、ｘＤＳＬ方式を適用した光伝送システムを実現することができないという問題がある。
【００２６】
更に詳しくは、ｘＤＳＬ技術は、銅線上の未使用の高帯域領域を有効活用することにより、高速伝送を実現するという銅線のみに適用できる技術であるため、上述したＣＲ／ＲＴ方式、π方式、ＳＢＭ／ＡＳＭ方式などのように加入者端末と通信事業者装置との間の伝送路に光ファイバからなる光伝送路が介在する場合には、ｘＤＳＬ方式の特性を生かした通信が不可能になるとともに、また上述した各方式のいずれも交換局から加入者端末の手前まで光ファイバが敷設されていて、信号が伝送されるものであるため、単純にｘＤＳＬ方式を導入することができず、これらの加入者端末にはｘＤＳＬ方式の利点である高速データ通信サービスを提供できないという問題がある。
【００２７】
本発明は、上記に鑑みてなされたもので、その目的とするところは、従来ｘＤＳＬ方式の導入が困難である光伝送路を含むシステムにもｘＤＳＬ方式を効果的に導入し得るｘＤＳＬ適用光アクセスシステムを提供することにある。
【００２８】
【課題を解決するための手段】
上記目的を達成するため、請求項１記載の本発明は、交換機側から光ファイバを介して加入者端末収容装置に接続され、該加入者端末収容装置から銅線を介して複数の加入者端末に接続されるシステムにおいて、前記加入者端末収容装置は、論理的に２回線に多重化される物理的に一本の光ファイバを介して交換機側から伝送される多重信号を音声帯域信号とデータ帯域信号に分離すると共に、交換機側への音声帯域信号とデータ帯域信号とを多重化して光ファイバに送出する光スプリッタと、この光スプリッタで分離されたデータ帯域信号をｘＤＳＬ方式に変換するｘＤＳＬ変換手段と、このｘＤＳＬ方式に変換されたデータ帯域信号と音声帯域信号を各加入者端末毎に多重化し、この多重化された多重信号を銅線を介して各加入者端末に伝送すべく送出する複数のスプリッタと
を有することを要旨とする。
【００２９】
請求項１記載の本発明にあっては、交換機側から論理的に２回線に多重化される物理的に一本の光ファイバを介して伝送される多重信号を音声帯域信号とデータ帯域信号に分離し、この分離されたデータ帯域信号をｘＤＳＬ変換手段でｘＤＳＬ方式に変換し、このｘＤＳＬ方式に変換されたデータ帯域信号と音声帯域信号とをスプリッタで多重化し、銅線を介して各加入者端末に送出するため、光ファイバを有する従来の光伝送路に対しても交換機側と加入者端末収容装置との間に設けられていた既存の光ファイバを使用して、ｘＤＳＬ方式を導入することができ、高速データ通信サービスを効率的に実現することができる。
【００３０】
また、請求項２記載の本発明は、通信事業者装置に設けられた交換機から光ファイバを介して加入者端末収容装置に接続され、該加入者端末収容装置から銅線を介して複数の加入者端末に接続されるシステムにおいて、前記通信事業者装置は、前記交換機からの音声帯域信号を集線するとともに、交換機への信号を分配する集線分配装置と、該集線分配装置で集線された交換機からの音声帯域信号と該交換機以外のインターネットサービスプロバイダを含む外部データ装置からのデータ帯域信号とを論理的に多重化して物理的に一本の前記光ファイバに送出する光スプリッタとを有し、前記加入者端末収容装置は、前記光ファイバからの多重信号を音声帯域信号とデータ帯域信号に分離するとともに、光ファイバへの音声帯域信号とデータ帯域信号を多重化して前記光ファイバに送出する光スプリッタと、各加入者端末に対応して設けられ、加入者端末からの多重信号を音声帯域信号とデータ帯域信号とに分離するとともに、加入者端末への音声帯域信号とデータ帯域信号を多重化して、前記銅線に送出する複数のスプリッタと、前記光スプリッタで分離された音声帯域信号を前記複数のスプリッタに分配するとともに、前記複数のスプリッタからの音声帯域信号を多重化して前記光スプリッタに送出する集線分配装置と、前記光スプリッタからのデータ帯域信号を複数の加入者端末用に分離し、ｘＤＳＬ方式に変換して前記複数のスプリッタに供給するとともに、前記複数のスプリッタからの複数のデータ帯域信号を多重化し、前記光スプリッタに供給するｘＤＳＬ集合モデムとを有し、前記加入者端末は、前記銅線に接続され、前記加入者端末収容装置のスプリッタからの多重信号を受信し、音声帯域信号とデータ帯域信号に分離し、音声帯域信号を電話端末に供給するとともに、電話端末からの音声帯域信号とデータ端末からのｘＤＳＬ方式に変換されたデータ帯域信号を多重化し、この多重化された多重信号を前記銅線に送出するスプリッタと、該スプリッタに接続され、該スプリッタからのデータ帯域信号をデータ端末に出力するとともに、データ端末からのデータ帯域信号をｘＤＳＬ方式に変換して前記スプリッタに供給するｘＤＳＬ終端装置とを有することを要旨とする。
【００３１】
請求項２記載の本発明にあっては、通信事業者装置において交換機からの音声帯域信号は集線分配装置で集線され、この音声帯域信号とインターネットサービスプロバイダを含む外部データ装置からのデータ帯域信号は光スプリッタで多重化され、光伝送路を構成する論理的に２回線に多重化される物理的に一本の光ファイバに送出され、加入者端末収容装置においては光ファイバからの多重信号は光スプリッタで音声帯域信号とデータ帯域信号に分離し、この音声帯域信号は集線分配装置で複数のスプリッタに分配し、データ帯域信号はｘＤＳＬ集合モデムで複数の加入者端末用に分離されｘＤＳＬ方式に変換して複数のスプリッタに供給し、複数のスプリッタは集線分配装置からの音声帯域信号とｘＤＳＬ集合モデムからのデータ帯域信号を多重化し、銅線を介して各加入者端末に送出し、各加入者端末から銅線を介して伝送される多重信号は各スプリッタで音声帯域信号とデータ帯域信号に分離され、音声帯域信号は集線分配装置で多重化され、データ帯域信号はｘＤＳＬ集合モデムで多重化され、この多重化された音声帯域信号とデータ帯域信号は光スプリッタで多重化され、光ファイバを介して通信事業者装置に伝送するようにしている。そのため、光ファイバを有する従来の光伝送路に対しても通信事業者装置と加入者端末収容装置との間に設けられていた既存の光ファイバを使用して、ｘＤＳＬ方式を導入することができ、高速データ通信サービスを効率的に実現することができる。
【００３２】
【発明の実施の形態】
以下、図面を用いて本発明の実施の形態を説明する。図１は、本発明の一実施形態に係るｘＤＳＬ適用光アクセスシステムの構成を示す図である。同図に示すｘＤＳＬ適用光アクセスシステムにおいて、各加入者端末１は通常の電話線である銅線３を介して加入者端末収容装置５に接続され、加入者端末収容装置５は上り光ファイバ７および下り光ファイバ９からなる光伝送路を介して通信事業者装置１１に接続され、これにより各加入者端末１の信号は多重化されて光ファイバ７，９からなる光伝送路を伝送されている。また、各加入者他端末１と加入者端末収容装置５との間の銅線３の距離は例えば約２〜３ｋｍ程度であり、各加入者端末１の近くまで伝送路が光化され、これにより加入者の希望により比較的容易にＦＴＴＨ（ファイバ・ツゥ・ザ・ホーム）を実現し得るようになっている。加入者端末収容装置５と通信事業者装置１１との間の距離は例えば約５ｋｍ〜約１０ｋｍである。
【００３３】
加入者端末１は、電話端末１３およびデータ端末１５を有し、データ端末１５はＬＡＮに接続されたスイッチ１９を介してｘＤＳＬ終端装置２１に接続され、データ端末１５からのデータ帯域信号をｘＤＳＬ方式に変換して、スプリッタ１７に供給するようになっている。スプリッタ１７は、電話端末１３からの音声帯域信号とｘＤＳＬ終端装置２１からのデータ帯域信号とを多重化して、加入者端末収容装置５に送信すべく銅線３に送出するようになっている。なお、スイッチ１９は、具体的にはルータ、ハブ、ＡＴＭスイッチ等が通信方式に応じて適宜、用いられる。
【００３４】
また、加入者端末１において、スプリッタ１７は銅線３を介して加入者端末収容装置５から受信した多重信号を音声帯域信号とデータ帯域信号に分離し、音声帯域信号を電話端末１３に供給し、データ帯域信号をｘＤＳＬ終端装置２１、スイッチ１９を介してデータ端末１５に供給するようになっている。
【００３５】
加入者端末収容装置５は、各加入者端末１から送出される多重信号をそれぞれ受信し、この多重信号を音声帯域信号とデータ帯域信号とに分離する複数のスプリッタ２３を有する。この複数のスプリッタ２３で分離された複数の音声帯域信号は、集線分配装置２５に供給され、光信号として多重化され、光スプリッタ２９に供給される。また、複数のスプリッタ２３で分離された複数のデータ帯域信号はｘＤＳＬ集合モデム２７で多重化され、光スプリッタ２９に供給される。光スプリッタ２９は、集線分配装置２５からの多重化された音声帯域信号とｘＤＳＬ集合モデム２７からの多重化されたデータ帯域信号とを多重化し、通信事業者装置１１に送信すべく上り光ファイバ７に送出する。
【００３６】
また、加入者端末収容装置５において、光スプリッタ３１は、下り光ファイバ９を介して通信事業者装置１１から受信した多重信号を音声帯域信号とデータ帯域信号に分離し、音声帯域信号を集線分配装置２５に供給し、データ帯域信号をｘＤＳＬ集合モデム２７に供給する。集線分配装置２５は、光スプリッタ３１からの音声帯域信号を各加入者端末用に分離して各スプリッタ２３に供給する。また、ｘＤＳＬ集合モデム２７は、光スプリッタ３１からのデータ帯域信号を各加入者端末用に分離して各スプリッタ２３に供給する。各スプリッタ２３は、集線分配装置２５からの音声帯域信号とｘＤＳＬ集合モデム２７からのデータ帯域信号を多重化し、各加入者端末１に送信すべく銅線３に送出する。
【００３７】
通信事業者装置１１は、上り光ファイバ７を介して加入者端末収容装置５から送信される多重信号を受信し、この多重信号を音声帯域信号とデータ帯域信号に分離する光スプリッタ３３を有する。この光スプリッタ３３で分離された音声帯域信号は集線分配装置３７に供給されて、各加入者端末毎に分離され、電話交換機３９またはＩＳＤＮ交換機４１に供給される。また、光スプリッタ３３で分離されたデータ帯域信号はルータ４３を介してインターネットサービスプロバイダ（ＩＳＰ）４５に送信される。
【００３８】
また、通信事業者装置１１において、電話交換機３９およびＩＳＤＮ交換機４１からの音声帯域信号は集線分配装置３７で多重化され、光信号に変換されて光スプリッタ３５に供給される。インターネットサービスプロバイダ４５からの各種データであるデータ帯域信号はスイッチ４３を介して光スプリッタ３５に供給される。光スプリッタ３５は、集線分配装置３７からの多重化された光信号からなる音声帯域信号とスイッチ４３を介してインターネットサービスプロバイダ４５から供給されたデータ帯域信号とを多重化し、加入者端末収容装置５に送信すべく下り光ファイバ９に送出する。
【００３９】
図２は、図１に示したｘＤＳＬ適用光アクセスシステムに使用されている光スプリッタ３１および光スプリッタ３５の詳細な構成を示す図である。同図に示すように、通信事業者装置１１に設けられた光スプリッタ３５は、スイッチ４３からのデータ帯域信号を光信号に変換するＯＥ変換装置５３を有し、このＯＥ変換装置５３で光信号に変換されたデータ帯域信号は光多重分離回路５１に供給される。この光多重分離回路５１には集線分配装置３７からの光信号からなる音声帯域信号も供給され、これにより光多重分離回路５１は該音声帯域信号とＯＥ変換装置５３からのデータ帯域信号とを多重化し、下り光ファイバ９に送出する。
【００４０】
また、加入者端末収容装置５の光スプリッタ３１は、下り光ファイバ９を介して通信事業者装置１１の光スプリッタ３５から送出された多重信号を光多重分離回路４７で受信する。光多重分離回路４７は、この受信した多重信号を音声帯域信号とデータ帯域信号に分離し、音声帯域信号はそのまま集線分配装置２５に供給され、データ帯域信号はＯＥ変換装置４９で電気信号に変換され、ｘＤＳＬ集合モデム２７に供給されるようになっている。
【００４１】
なお、下り光ファイバ９は、物理的に１本の光ファイバで構成されるが、論理的には２回線に多重化され、図２において実線で示す光ファイバ回線は下り用の既存サービス用光回線を構成し、音声帯域信号を伝送し、破線で示す光ファイバ回線は下り用のｘＤＳＬデータ用光回線を構成し、データ帯域信号を伝送するようになっている。
【００４２】
なお図２は、下り光ファイバ９について説明したが、上り光ファイバも同じ構成である。また、図２において点線で示すようにＯＥ変換装置４９の出力からｘＤＳＬ集合モデム２７に接続された回線はｘＤＳＬ集合モデム・ＡＴＭルータ接続用電気信号回線を構成している。
【００４３】
また、本実施形態では図２を参照して、ＯＥ変換装置４９が光スプリッタ３１内に構成される場合について説明したが、これに限定されること無く、例えばＯＥ変換装置４９が光スプリッタ３１に外付けされる場合や、ｘＤＳＬ集合モデム２７に内蔵される場合についても同様である。
【００４４】
図３は、図１に示したｘＤＳＬ適用光アクセスシステムの加入者端末収容装置５に使用されているｘＤＳＬ集合モデム２７の構成を示す図である。同図に示すように、ｘＤＳＬ集合モデム２７は、複数のスプリッタ２３の各々に接続された複数の加入者回路５７およびこの複数の加入者回路５７に接続され、この複数の加入者回路５７からの複数のデータ帯域信号を多重化して上り光ファイバ７に出力するとともに、下り光ファイバ９からの多重信号を受信し、この多重信号を複数の加入者回路５７用のデータ帯域信号に分離する多重分離回路５５から構成されている。
【００４５】
以上のように構成されるｘＤＳＬ適用光アクセスシステムにおいて、電話交換機３９またはＩＳＤＮ交換機４１からの音声帯域信号は集線分配装置３７で多重化されて光スプリッタ３５に供給される。また、インターネットサービスプロバイダ４５からの例えば画像データなどのデータ帯域信号はルータ４３を介して光スプリッタ３５に供給される。光スプリッタ３５は、集線分配装置３７からの音声帯域信号とルータ４３からのデータ帯域信号を多重化し、下り光ファイバ９に送出する。
【００４６】
加入者端末収容装置５は、下り光ファイバ９からの多重信号を光スプリッタ３１で受信して、音声帯域信号とデータ帯域信号に分離し、音声帯域信号を集線分配装置２５で各加入者端末用に分離して各スプリッタ２３に供給し、またデータ帯域信号をｘＤＳＬ集合モデム２７でｘＤＳＬ方式に変換するとともに各加入者端末用に分離して各スプリッタ２３に供給する。各スプリッタ２３は、集線分配装置２５からの音声帯域信号とｘＤＳＬ集合モデム２７からのデータ帯域信号とを多重化して、銅線３に送出する。
【００４７】
各加入者端末１は、銅線３からの多重信号をスプリッタ１７で受信して、音声帯域信号とデータ帯域信号に分離し、音声帯域信号を電話端末１３に供給するとともに、データ帯域信号をｘＤＳＬ終端装置２１から更にスイッチ１９を介してデータ端末１５に供給する。
【００４８】
また、各加入者端末１の電話端末１３からの音声帯域信号はスプリッタ１７に供給され、データ端末１５からのデータ帯域信号はスイッチ１９を介してｘＤＳＬ終端装置２１に供給され、ここでｘＤＳＬ方式に変換され、スプリッタ１７に供給される。スプリッタ１７は、電話端末１３からの音声帯域信号とデータ端末１５からのデータ帯域信号とを多重化して、銅線３に送出する。
【００４９】
加入者端末収容装置５では、銅線３からの多重信号を該当するスプリッタ２３で受信して、音声帯域信号とデータ帯域信号とに分離し、音声帯域信号を集線分配装置２５に供給する。集線分配装置２５は、各加入者端末１からの音声帯域信号を多重化して光スプリッタ２９に供給する。また、スプリッタ２３で分離されたデータ帯域信号は、ｘＤＳＬ集合モデム２７において各加入者端末１からのデータ帯域信号とまとめられて多重化され、光スプリッタ２９に供給される。光スプリッタ２９は、集線分配装置２５からの音声帯域信号とｘＤＳＬ集合モデム２７からのデータ帯域信号とを多重化して、上り光ファイバ７に送出する。
【００５０】
通信事業者装置１１では、上り光ファイバ７からの多重信号を光スプリッタ３３で受信して、音声帯域信号とデータ帯域信号とに分離する。音声帯域信号は、集線分配装置３７を介して電話交換機３９またはＩＳＤＮ交換機４１に供給され、データ帯域信号は、ルータ４３を介してインターネットサービスプロバイダ４５などに送信される。
【００５１】
上述したように、本実施形態のｘＤＳＬ適用光アクセスシステムは、従来適用することが困難であった光ファイバを伝送路に有するシステムにも容易に適用することができ、各加入者端末に対して高速通信サービスを提供することができるようになる。
【００５２】
なお、従来は、ｘＤＳＬ方式が銅線上でしか実現できないという特性から、その促進はＦＴＴＨの阻害となっており、また光化（ＦＴＴＨ）を促進すると、ｘＤＳＬは利用できなくなるというようにｘＤＳＬ方式と光化の両方の促進は不可能であったが、上述した実施形態からわかるように、光伝送路が介在するアクセス系に対してもｘＤＳＬ方式を容易に導入することができるようになり、ＦＴＴＨを待たずに、ｘＤＳＬを用いた高速通信サービスを加入者に提供することができるようになる。
【００５３】
【発明の効果】
以上説明したように、本発明によれば、交換機側から光ファイバを介して伝送される多重信号を光スプリッタで音声帯域信号とデータ帯域信号に分離し、データ帯域信号をｘＤＳＬ変換手段でｘＤＳＬ方式に変換し、このｘＤＳＬ方式に変換されたデータ帯域信号と音声帯域信号とをスプリッタで多重化し、銅線を介して各加入者端末に送出するので、従来ｘＤＳＬの導入が困難であった光ファイバが途中に介在する光伝送路に対しても交換機側と加入者端末収容装置のと間に設けられていた既存の光ファイバを使用して、既存システムに影響を与えることなく、ｘＤＳＬ方式を導入することができ、高速データ通信サービスを効率的かつ経済的に実現することができる。
【図面の簡単な説明】
【図１】本発明の一実施形態に係るｘＤＳＬ適用光アクセスシステムの構成を示す図である。
【図２】図１に示したｘＤＳＬ適用光アクセスシステムに使用されている下り光ファイバに接続される光スプリッタおよび光スプリッタの詳細な構成を示す図である。
【図３】図１に示したｘＤＳＬ適用光アクセスシステムの加入者端末収容装置に使用されているｘＤＳＬ集合モデムの構成を示す図である。
【図４】ｘＤＳＬ適用システムの基本的構成を示す図である。
【図５】図４に示したｘＤＳＬ適用システムと同様のｘＤＳＬ適用システムの構成を更に詳細に示した図である。
【図６】代表的なｘＤＳＬ方式の１つであるＡＤＳＬ方式における搬送波周波数を示す図である。
【図７】加入者端末と通信事業者装置との間の接続に光ファイバからなる光ケーブルを用いた場合の光伝送システムの構成を示す図である。
【図８】ＣＲ／ＲＴ方式の光伝送システムの構成を示す図である。
【図９】π方式の光伝送システムの構成を示す図である。
【図１０】ＳＢＭ／ＡＳＭ方式の光伝送システムの構成を示す図である。
【符号の説明】
１  加入者端末
３  銅線
５  加入者端末収容装置
７  上り光ファイバ
９  下り光ファイバ
１１  通信事業者装置
１３  電話端末
１５  データ端末
１７，２３  スプリッタ
２１  ｘＤＳＬ終端装置
２５，３７  集線分配装置
２７  ｘＤＳＬ集合モデム
２９−３５  光スプリッタ
【図１】
0003560882.tif 000002
【図２】
0003560882.tif 000003
【図３】
0003560882.tif 000004
【図４】
0003560882.tif 000005
【図５】
0003560882.tif 000006
【図６】
0003560882.tif 000007
【図７】
0003560882.tif 000008
【図８】
0003560882.tif 000009
【図９】
0003560882.tif 000010
【図１０】
0003560882.tif 000011